(57)【要約】【課題】単に、首に巻く又は肩に掛けるだけで、自然と立体形状を作り出すことができ、高い装飾性を得ることができるストール類（例えば、スカーフ、ショール、ネッカチーフ、マフラー、ストール等）を提供する。【解決手段】ストール類の全体形状について、装着者の首に掛止される、湾曲、もしくは折曲した曲り形帯部２と、該曲り形帯部２から延出して形成される一対の垂れ帯部３とからなる、全体の形状が平面視で略Ｕ字形状、略Ｃ字形状、略Ｖ字形状または馬蹄形状とする。【選択図】  図１
0003180133.tif 000002
【実用新案登録請求の範囲】
【請求項１】
装着者の首に掛止される、湾曲、もしくは折曲した曲り形帯部と、該曲り形帯部から延出して形成される一対の垂れ帯部とからなり、全体の形状が平面視で略Ｕ字形状、略Ｃ字形状、略Ｖ字形状または馬蹄形状であることを特徴とするストール類。
【請求項２】
前記垂れ帯部先端が、前記曲り形帯部に向かって傾斜していることを特徴とする請求項１に記載のストール類。
【考案の詳細な説明】
【技術分野】
【０００１】
本考案は、身体に装着するストール類に関し、とくに、単に装着するだけで、高い装飾性を得られるストール類に関するものである。
【背景技術】
【０００２】
従来、ストール類（例えば、スカーフ、ショール、ネッカチーフ、マフラー、ストール等）は、冬季には防寒具として、夏季には日焼け対策や冷房下での防寒対策として、また首元回りを装飾するファッションとして、装着されている。これらストール類の一般的な形状は、長方形や正方形の単なる矩形状、若しくは単なる三角形状であり、様々な色、柄を付すことで、装飾性を高める工夫がされている。
【０００３】
例えば、幅と素材が異なり、かつ略同じ長さの帯状体をその中央部で縫い合わせたファッションマフラー（特許文献1参照）や、色・柄違いのシングル幅の生地を、その片縁で一体にするか、中心ラインで色・柄分けしたダブル幅の生地を、その中心ライン上で一体にし、あるいは、中心ラインで色・柄分けした少なくとも２枚のダブル幅の生地を、その中心ラインに沿って一体にして、折り畳むことによって幾つかの色・柄の組み合わせをすることができＴＰＯに合わせてファッションを楽しむことができるストール（特許文献２参照）が先に提案されている。これらのマフラーやストールは、装着した際に見える色、柄や生地などの模様によって意匠性を変化させている。
【０００４】
特許文献１や特許文献２に示すようなファッションマフラーやストールは、従来のストール類と同様に形状が単なる矩形状であり、図５に示すように、首の後ろから肩に掛けて装着した際は、帯が直線状に垂れ下がるだけであり、そのままではファッション性に乏しいため、装着者は、例えば首にゆとりをもたせて巻き、ドレープ（自然とできる布のたるみ）を設けて立体形状を出す巻き方や、また例えば裾部を首元で結び合わせた後に裾を垂らして裾部に躍動感を持たせる結び方など、巻く、折る、捻じる、結ぶなど、装着方法を工夫することで立体形状を作り、ファッション性を高めていた。
【先行技術文献】
【特許文献】
【０００５】
【特許文献１】実用新案登録第３１３２７８５号公報
【特許文献２】実用新案登録第３１０４０１４号公報
【考案の概要】
【考案が解決しようとする課題】
【０００６】
しかしながら、その装着方法は手順が煩雑なこともあり、装着に技術を要するため、首に巻くなどの単純な装着方法、若しくは一度覚えた装着方法が定常化してしまうという問題があった。
【０００７】
本考案は、上記の問題点に鑑みなされたもので、単に、首に巻く又は肩に掛けるだけで、自然と立体形状が作り出すことができ、高い装飾性を得ることができるストール類を提供することを目的とする。
【課題を解決するための手段】
【０００８】
このため本考案のストール類は、装着者の首に掛止される、湾曲、もしくは折曲した曲り形帯部と、該曲り形帯部から延出して形成される一対の垂れ帯部とからなり、全体の形状が平面視で略Ｕ字形状、略Ｃ字形状、略Ｖ字形状または馬蹄形状であることを第１の特徴とする。また、前記垂れ帯部先端が、前記曲り形帯部に向かって傾斜していることを第２の特徴とする。
【考案の効果】
【０００９】
本考案のストール類は、以下の優れた効果を有する。
（１）首の後ろから肩に掛けるだけで、左右の肩から垂れ下がる一対の垂れ帯部がひだを形成しつつ垂れ下がるため、垂れ帯部に立体形状を自然と作り出すことができる。
（２）垂れ帯部が体の中心に向かって寄り、垂れ帯部先端は先鋭状に垂れ下がる末広がり形状となるため、垂れ帯部が風により揺れやすくなり、垂れ帯部に躍動感を持たせることができる。
（３）首の前から肩に掛けて巻くことで、首当て部が首元にたっぷりとした膨らみ、いわゆるドレープが自ずと形成されるため、装飾性が高まる。
【図面の簡単な説明】
【００１０】
【図１】本考案に係るストール類の一実施例を示す平面図である。
【図２】図１のストールを肩に掛けて装着した状態を説明する模式図である。
【図３】図１のストールを首に巻いて装着した状態を説明する模式図である。
【図４】本考案に係るストール類の他の実施例を示す平面図である。
【図５】従来のストール類を肩に掛けて装着した状態を説明する模式図である。
【考案を実施するための形態】
【００１１】
本考案のストール類とは、スカーフ、ショール、ネッカチーフ、マフラー、ストール並びにこれらに代用できる服飾品（例えば、バンダナ、パレオ、ひざ掛け等）を意味している。本考案に用いる生地は、絹、綿、麻、カシミア、モヘア等の天然繊維、又はポリエステル、ナイロン、レーヨン等の合成繊維からなる織物及び編み物や、天然皮革や合成皮革のように、服飾類に通常用いられる生地であれば使用可能である。また、生地にどのような模様を描出しても良く、特に制限なく用いることができる。例えば、単なる無地の色彩のみの模様、２色以上の色彩が形成する模様、文字や字紋のみの模様、又は線や図形で形成される図案などを使用することができる。
【００１２】
以下、本考案を実施するための最良の形態を、図面に示す実施例に基づいて説明する。図１は本考案に係るストール類の一実施例を示す平面図であり、図２は図１のストールを肩に掛けて装着した状態を説明する模式図であり、図３は図１のストールを首に巻いて装着した状態を説明する模式図である。
【実施例１】
【００１３】
図１に示すように、本考案の実施例１は、半円状に湾曲した曲り形帯部２とその曲り形帯部２から伸びた一対の垂れ帯部３とからなり、全体の形状が平面視でＵ字形状に形成されているストール本体１である。ストール本体１は、型紙を作成する工程、型紙に合わせて生地を裁断する工程、縫製処理工程、及び染色工程を経て製作される。この工程に沿って、本考案の実施例１について説明する。
【００１４】
まず、図１に示すようなＵ字形状の型紙を作成する。この型紙は、生地を裁断するために用いられ、縫製処理後の仕上がりサイズを考慮して作成される。生地のサイズは、例えば６０ｃｍ、９０ｃｍ、１００ｃｍ、又は１１０ｃｍ幅の生地が用いられる。帯幅ｗは、曲り形帯部２と垂れ帯部３とで略同じ幅となるよう形成され、例えば帯幅ｗの仕上がりサイズが１０ｃｍ〜５０ｃｍの寸法となるよう作成される。また、一対の垂れ帯部３同士の離間幅Ｌは、例えばその仕上がりサイズが８ｃｍ〜１５ｃｍの寸法となるよう作成される。この帯幅ｗと離間幅Ｌを組み合わせることで、サイズが異なる複数のストールを製作し、装着者は、その複数のストールから体形に合うストールを選ぶことが可能となる。次に型紙に沿って生地が裁断されるが、生地に用いられる素材は、服飾類に通常用いられる生地であれば使用可能である。本実施例では、生地に１００ｃｍ幅の絹を用い、仕上がりサイズの帯幅ｗが４５ｃｍ、離間幅Ｌが１０ｃｍとなるよう型紙を作成した。次いで、裁断された絹の端部を、ほつれないようミシンにより三つ折り縫製し、図１に示すように、Ｕ字形状のストール本体１が形成される。さらに本実施例では、このストール本体１を草木染めにて染色した。
【００１５】
次に、本考案のストール本体１を装着した状態について説明する。ストール本体１を肩に掛けて装着すると、図２に示すように、垂れ帯部３は、ひだを形成し肩から垂下すると共に、垂れ帯部３の先端が装着者の身体中心に寄り、その先端は装着者の首に向かって先鋭状に傾斜した状態となる。そのため、自ずと形成されたひだにより立体形状が自然と生じる。また、図３に示すように、曲り形帯部２を首の下側に当て、垂れ帯部３を首に巻くと、曲り形帯部２はドレープを形成し、ストール本体１は首元にボリューム感のある立体形状を自然と生じる。
【００１６】
次に本考案に係る他の実施例について、図４を参照しながら説明する。便宜上、実施例１と同一の構成要件には同一の符号を付し、以下では実施例１との相違点を主に説明する。
【実施例２】
【００１７】
図４（ａ）に示すように、半円状に湾曲した曲り形帯部２とその曲り形帯部２から伸びた一対の垂れ帯部３とからなり、その垂れ帯部３の帯幅が末広がりとし、ストール本体１の全体形状が平面視で略Ｕ字形状に形成されている。
【実施例３】
【００１８】
図４（ｂ）に示すように、多角形状に折曲した曲り形帯部２とその曲り形帯部２から伸びた一対の垂れ帯部３とからなり、ストール本体１の全体形状が平面視で略Ｕ字形状に形成されている。
【実施例４】
【００１９】
図４（ｃ）に示すように、直角状に折曲した曲り形帯部２とその曲り形帯部２から伸びた一対の垂れ帯部３とからなり、ストール本体１の全体形状が平面視で略Ｕ字形状に形成されている。
【実施例５】
【００２０】
図４（ｄ）に示すように、半円状に湾曲した曲り形帯部２とその曲り形帯部２からさらに湾曲して伸びた一対の垂れ帯部３とからなり、ストール本体１の全体形状が平面視で略Ｃ字形状に形成されている。
【実施例６】
【００２１】
図４（ｅ）に示すように、湾曲した曲り形帯部２とその曲り形帯部２から伸びた一対の垂れ帯部３とからなり、ストール本体１の全体形状が平面視で略Ｖ字形状に形成されている。
【実施例７】
【００２２】
図４（ｆ）に示すように、湾曲した曲り形帯部２とその曲り形帯部２から直線状に伸びた一対の垂れ帯部３とからなり、ストール本体１の全体形状が平面視で馬蹄形状に形成されている。
【００２３】
このように曲り形帯部２が、装着者の首を周回し湾曲、もしくは折曲した形状であり、その曲り形帯部２から延出して形成される一対の垂れ帯部３から形成される全体形状であれば、上述した装着状態と同様の効果が得られる。
【００２４】
尚、本考案の要旨は、ストール類が装着者の首に掛止される、湾曲、もしくは折曲した曲り形帯部と、該曲り形帯部から延出して形成される一対の垂れ帯部とから構成されていることであり、本実施例では、例えば一対の垂れ帯部３にボタン、クリップ、ピン、またはファスナーなどを設けて一対の垂れ帯部３同士を突き合わせて閉じても良い。また、例えば垂れ帯部３の先端にフリンジを設けても良く、このように本考案の要旨を逸脱しない範囲内において種々変更を加え得ることは言うまでもない。
【符号の説明】
【００２５】
１      ストール本体
２      曲り形帯部
３      垂れ帯部
４      従来のストール類
ｗ      帯幅
Ｌ      垂れ帯部の離間幅
【図１】
0003180133.tif 000003
【図２】
0003180133.tif 000004
【図３】
0003180133.tif 000005
【図４】
0003180133.tif 000006
【図５】
0003180133.tif 000007